(57)【特許請求の範囲】
【請求項１】
少なくとも流体回路の熱交換器を収納するケーシング（５０）と、
前記熱交換器に流体を流通させる配管を連結するために前記ケーシング（５０）の側板（６０）から露出させた配管継手（７０）と、
前記配管継手（７０）を前記側板（６０）の外側から覆うカバー（８０）と、
を備え、
前記カバー（８０）は、前記側板（６０）に保持される爪（８１）を有し、
前記側板（６０）は、
前記カバー（８０）に覆われる部分の内側面に形成される第１面（６１）及び第２面（６２）と、
前記爪（８１）を挿入させて前記第１面（６１）に係止させる孔（６４）と、
を有し
前記第２面（６２）は、前記第１面（６１）よりも前記ケーシング（５０）の内側に向って張り出しており、
前記孔（６４）から挿入された前記爪（８１）の前記ケーシング（５０）内側に向って突出する部分は、前記第２面（６２）が前記ケーシング（５０）の内側に向って張り出している方向に延び、且つ、前記第１面（６１）を含む第１仮想面（Ｐ１）と前記第２面（６２）含む第２仮想面（Ｐ２）とで挟まれた空間内に収められている、
冷凍装置の室外ユニット（２）。
【請求項２】
前記側板（６０）は、前記第１面（６１）と前記第２面（６２）とを結ぶ第３面（６３）をさらに有し、
前記爪（８１）が前記第３面（６３）の近傍に位置する、
請求項１に記載の冷凍装置の室外ユニット（２）。
【請求項３】
前記ケーシング（５０）内の部品を覆う防音部材が、前記第２面（６２）に押付けられている、
請求項１に記載の冷凍装置の室外ユニット（２）。
【請求項４】
前記カバー（８０）が樹脂製である、
請求項１に記載の冷凍装置の室外ユニット（２）。
【請求項５】
少なくとも流体回路の熱交換器を収納するケーシング（５０）と、
前記熱交換器に流体を流通させる配管を連結するために前記ケーシング（５０）の側板（６０）から露出させた配管継手（７０）と、
前記配管継手（７０）を前記側板（６０）の外側から覆うカバー（８０）と、
前記配管継手（７０）を固定し前記ケーシング（５０）に取り付けられる配管継手取付板（７１）と、
を備え、
前記カバー（８０）は、前記側板（６０）に保持される爪（８１）を有し、
前記側板（６０）は、
前記カバー（８０）に覆われる部分の内側面に形成される第１面（６１）及び第２面（６２）と、
前記爪（８１）を挿入させて前記第１面（６１）に係止させる孔（６４）と、
を有し
前記第２面（６２）は、前記第１面（６１）よりも前記ケーシング（５０）の内側に向って張り出しており、
前記孔（６４）から挿入された前記爪（８１）の前記ケーシング（５０）内側に向って突出する部分が、前記第１面（６１）を含む第１仮想面（Ｐ１）と前記第２面（６２）含む第２仮想面（Ｐ２）とで挟まれた空間内に収められ、
前記配管継手取付板（７１）は、外周の一部が曲げられて前記ケーシング（５０）内側に張り出す突出部（７２）を有し、
前記孔（６４）から挿入された前記爪（８１）の前記ケーシング（５０）内側に向って突出する部分が、前記第１仮想面（Ｐ１）と前記突出部（７２）の先端を含む第３仮想面（Ｐ３）とで挟まれた空間内に収められている、
冷凍装置の室外ユニット（２）。
【請求項６】
前記孔（６４）から挿入された前記爪（８１）の前記ケーシング（５０）内側に向って突出する部分が、前記配管継手取付板（７１）の外周が曲げられている部分の近傍に配置される、
請求項５に記載の冷凍装置の室外ユニット（２）。
【請求項７】
前記カバー（８０）が燃えやすい材料で構成されている、
請求項１に記載の冷凍装置の室外ユニット（２）。
【発明の詳細な説明】
【技術分野】
【０００１】
本発明は、ヒートポンプ式給湯機及び空気調和装置などの冷凍装置の室外ユニットに関する。
【背景技術】
【０００２】
ヒートポンプ式給湯機のヒートポンプユニット、空気調和装置の室外ユニット、及び床暖房の室外ユニットなど、いわゆる冷凍装置の室外ユニットは、ケーシングに収納された状態で外部に据付けられる。ケーシングの側板には、外部配管を接続するための配管継手が設けられており、その配管継手が側板の外側へ露出している。そして、この配管継手を覆うようにカバーが側板に取り付けられる（例えば、特許文献１参照）。特許文献１の記載によれば、ケーシングの側板には複数の貫通孔が形成されており、カバーには側板の貫通孔に挿入される複数の取付爪が形成されている。つまり、カバーは、取付爪が側板の貫通孔に引っ掛かることによって側板に位置決めされる。
【特許文献１】特開２００５−１８０７２５号公報
【発明の開示】
【発明が解決しようとする課題】
【０００３】
しかしながら、側板の貫通孔に挿入された複数の取付爪は、ケーシングの内部に向って突出しているため、ケーシング内に他の機器を組み立てるときに、取付爪と接触して取付爪を破損させる可能性がある。
【０００４】
本発明の課題は、ケーシング内の機器の取付時に、カバーの取付爪を損傷させない冷凍装置の室外ユニットを提供することにある。
【課題を解決するための手段】
【０００５】
第１発明に係る冷凍装置の室外ユニットは、ケーシングと、配管継手と、カバーとを備えている。ケーシングは、少なくとも流体回路の熱交換器を収納している。配管継手は、熱交換器に流体を流通させる配管を連結するためにケーシングの側板から露出している。カバーは、配管継手を側板の外側から覆う。カバーは、側板に保持される爪を有している。側板は、カバーに覆われる部分の内側面に形成される第１面及び第２面と、カバーの爪を挿入させて第１面に係止させる孔とを有している。第２面は、第１面よりもケーシングの内側に向って張り出している。側板の孔から挿入されたカバーの爪のケーシング内側に向って突出する部分は、第２面がケーシングの内側に向って張り出している方向に延び、且つ、第１面を含む第１仮想面と第２面含む第２仮想面とで挟まれた空間内に収められている。
【０００６】
この室外ユニットでは、ケーシング内に内部部品を組み立てるときに、側板の第２面が、カバーの爪と内部部品との接触を阻止するので、内部部品との干渉による爪の損傷が防止される。
【０００７】
第２発明に係る冷凍装置の室外ユニットは、第１発明に係る冷凍装置の室外ユニットであって、側板は、第１面と第２面とを結ぶ第３面をさらに有している。カバーの爪は、第３面の近傍に位置している。
【０００８】
この室外ユニットでは、第３面は側板の厚み方向の変形に対する抗力を高めているので、内部部品が側面に押付けられた場合でも、側面のたわみが抑制される。特に、カバーの爪は第３面の近傍に位置しているので、側面の厚み方向の強度が強い位置にあり、側面のたわみによる爪と内部部品との干渉が防止される。
【０００９】
第３発明に係る冷凍装置の室外ユニットは、第１発明に係る冷凍装置の室外ユニットであって、ケーシング内の部品を覆う防音部材が、第２面に押付けられている。
【００１０】
この室外ユニットでは、第３面は側板の厚み方向の変形に対する抗力を高めているので、防音部材が側板に押付けられる状態を許容し、防音部材と側板との密着および防音部材と内部部品との密着が確保されるので防音効果が増す。同時に、第２面のたわみが抑制されカバーの爪と防音部材との干渉が防止される。
【００１１】
第４発明に係る冷凍装置の室外ユニットは、第１発明に係る冷凍装置の室外ユニットであって、カバーが樹脂製である。
【００１２】
この室外ユニットでは、カバーの爪が弾力性を有するので、側板の孔から挿入されて第１面に係止されるまでの間に作用する外力に対して、弾性変形する。このため、側板に取り付けられるときに損傷することが防止される。
【００１３】
第５発明に係る冷凍装置の室外ユニットは、ケーシングと、配管継手と、カバーと、配管継手取付板とを備えている。ケーシングは、少なくとも流体回路の熱交換器を収納している。配管継手は、熱交換器に流体を流通させる配管を連結するためにケーシングの側板から露出している。カバーは、配管継手を側板の外側から覆う。配管継手取付板は、配管継手を固定しケーシングに取り付けられる。カバーは、側板に保持される爪を有している。側板は、カバーに覆われる部分の内側面に形成される第１面及び第２面と、カバーの爪を挿入させて第１面に係止させる孔とを有している。第２面は、第１面よりもケーシングの内側に向って張り出している。側板の孔から挿入されたカバーの爪のケーシング内側に向って突出する部分は、第１面を含む第１仮想面と第２面含む第２仮想面とで挟まれた空間内に収められている。配管継手取付板は、外周の一部が曲げられてケーシング内側に張り出す突出部を有している。側板の孔から挿入されたカバーの爪のケーシング内側に向って突出する部分は、第１仮想面と、突出部の先端を含む第３仮想面とで挟まれた空間内に収められている。
【００１４】
この室外ユニットでは、ケーシング内に防音部材を配置するときに、配管継手取付板の突出部がカバーの爪と防音部材との接触を阻止するので、防音部材との干渉による爪の損傷が防止される。
【００１５】
第６発明に係る冷凍装置の室外ユニットは、第５発明に係る冷凍装置の室外ユニットであって、孔から挿入された爪のケーシング内側に向って突出する部分が、配管継手取付板の外周が曲げられている部分の近傍に配置される。
【００１６】
この室外ユニットでは、配管継手取付板の外周が曲げられている部分は、強度が高く、内部部品が押付けられたときのたわみがほとんどない。それゆえ、爪がその部分の近傍に位置することによって、配管継手取付板に押付けられる内部部品と爪との干渉が未然に防止される。
【００１７】
第７発明に係る冷凍装置の室外ユニットは、第１発明に係る冷凍装置の室外ユニットであって、カバーが燃えやすい材料で構成されている。
【００１８】
この室外ユニットでは、例えば、放火や火災などの被害にあった場合、カバーが焼失してもケーシング内部まで延焼しないので、外部からの火種であることが明確になる。また、カバーを燃えやすい材料にするために、難燃性を上げるための添加剤が不要となるのでコストが低減される。さらに、難燃性を上げる添加剤を使用しないので強度低下が抑えられ、破損等が発生し難くなる。
【発明の効果】
【００１９】
第１発明に係る冷凍装置の室外ユニットでは、ケーシング内に内部部品を組み立てるときに、側板の第２面が、カバーの爪と内部部品との接触を阻止するので、内部部品との干渉による爪の損傷が防止される。
【００２０】
第２発明に係る冷凍装置の室外ユニットでは、第３面は側板の厚み方向の変形に対する抗力を高めているので、内部部品が側面に押付けられた場合でも、側面のたわみが抑制される。特に、カバーの爪は第３面の近傍に位置しているので、側面の厚み方向の強度が強い位置にあり、側面のたわみによる爪と内部部品との干渉が防止される。
【００２１】
第３発明に係る冷凍装置の室外ユニットでは、第３面は側板の厚み方向の変形に対する抗力を高めているので、防音部材が側板に押付けられる状態を許容し、防音部材と側板との密着および防音部材と内部部品との密着が確保されるので防音効果が増す。同時に、第２面のたわみが抑制されカバーの爪と防音部材との干渉が防止される。
【００２２】
第４発明に係る冷凍装置の室外ユニットでは、カバーの爪が弾力性を有するので、側板の孔から挿入されて第１面に係止されるまでの間に作用する外力に対して、弾性変形する。このため、側板に取り付けられるときに損傷することが防止される。
【００２３】
第５発明に係る冷凍装置の室外ユニットでは、ケーシング内に防音部材を配置するときに、配管継手取付板の突出面がカバーの爪と防音部材との接触を阻止するので、防音部材との干渉による爪の損傷が防止される。
【００２４】
第６発明に係る冷凍装置の室外ユニットでは、配管継手取付板の外周が曲げられている部分は、強度が高く、内部部品が押付けられたときのたわみがほとんどない。それゆえ、爪がその部分の近傍に位置することによって、配管継手取付板に押付けられる内部部品と爪との干渉が未然に防止される。
【００２５】
第７発明に係る冷凍装置の室外ユニットでは、例えば、放火や火災などの被害にあった場合、外部からの火種であることが明確になる。また、難燃性を上げるための添加剤が不要となるのでコストが低減される。さらに、強度低下が抑えられるので破損等が発生し難くなる。
【発明を実施するための最良の形態】
【００２６】
ここでは、本発明をヒートポンプ式給湯機へ適用した実施形態について説明する。なお、以下の実施形態は、本発明の具体例であって、本発明の技術的範囲を限定するものではない。
【００２７】
給湯機の加熱手段として使用される蒸気圧縮式の冷凍装置は、外気から熱エネルギーを汲み上げることから、一般にヒートポンプと呼ばれており、ヒートポンプユニットとして室外に設置される。
【００２８】
＜ヒートポンプユニット式給湯機１の構成＞
図１に本発明の一実施形態に係るヒートポンプユニットを使用した給湯機の外観斜視図を、図２に同ヒートポンプユニットを使用した給湯機の概略構成図を示す。図１おいて、給湯機１は、ヒートポンプユニット２と貯湯装置３とによって構成され、ヒートポンプユニット２のケーシング５０内には、蒸気圧縮式の冷凍回路が収納され、貯湯装置３のケーシング１００内には、タンク３１が収納されている。
【００２９】
ヒートポンプユニット２と貯湯装置３とは、水が流通できるように往き管３６及び戻り管３７によって連絡されている。タンク３１の水は、往き管３６を通ってヒートポンプユニット２へ進入する。ヒートポンプユニット２で加熱された水は、戻り管３７を通ってタンク３１に戻る。
【００３０】
ヒートポンプユニット２と往き管３６とは、水側配管継手７０ａによって連結され、ヒートポンプユニット２と戻り管３７とは、湯側配管継手７０ｂによって連結される。便宜上、水側配管継手７０ａ及び湯側配管継手７０ｂを総称して配管継手７０と呼ぶ。配管継手７０は、ヒートポンプユニット２の側板から外側に露出しており、この配管継手７０を覆うように、樹脂製のカバー８０が側板６０に取り付けられている。
【００３１】
図２において、ヒートポンプユニット２は、マフラー２１ａ、圧縮機２１、水熱交換器２２内の冷媒管２２ａ、減圧手段としての膨張弁２３、及び空気熱交換器２４が、冷媒配管２５によって環状に接続された蒸気圧縮式の冷凍回路２０を有する。
【００３２】
また、冷凍回路２０には、水熱交換器２２から出る高圧高温の冷媒と、空気熱交換器２４から出る低圧低温の冷媒との間で熱交換を行うため、液ガス熱交換器２６が配置されている。具体的には、水熱交換器２２と膨張弁２３とを連結する冷媒通路と、空気熱交換器２４と圧縮機２１とを連結する冷媒通路との間で熱交換が行われる。
【００３３】
貯湯装置３は、タンク３１、水熱交換器２２内の水管２２ｂ及び水循環ポンプ３２が、水循環配管３４によって環状に接続された水循環回路３０を有する。制御装置４は、ヒートポンプユニット２と貯湯装置３を運転制御する。
【００３４】
＜ヒートポンプユニット２＞
図３は、本発明の一実施形態に係るヒートポンプユニットの正面図である。図３において、側板６０に取り付けられるカバー８０は、側板６０の上端近傍から下端近傍に至る範囲を覆っており、配管継手７０を覆う部分が外側に向って膨らんでいる。カバー８０は、上部、中央部及び下部に複数の取付爪８１を有しており、説明の便宜上、上部から順に上部取付爪８１１、中央部取付爪８１２、下部取付爪８１３と呼ぶ。
【００３５】
上部取付爪８１１、中央部取付爪８１２及び下部取付爪８１３が、側板６０に設けられている取付孔に挿入され、側板の内側に引っ掛かることによって、カバー８０が側板６０に固定される。
【００３６】
＜カバー８０の取付構造＞
（上部取付爪８１１）
図４は、図３のヒートポンプユニットを上部取付爪の上方のＡ−Ａ線で切断したときの断面図である。図４において、側板６０の上部は、ケーシング５０の内側に向って張り出す第１面６１と第２面６２とを有している。第２面６２は、第１面６１よりも更にケーシング５０の内側に向って張り出している。上部取付爪８１１は、第１面６１を含む仮想面Ｐ１と、第２面６２を含む仮想面Ｐ２との間に位置する。
【００３７】
図５は、図４のＸ部の拡大図であり、図６は、図５のＤ−Ｄ線で切断したときの断面図である。図５、図６において、第１面６１は、絞り加工することによって形成される。第２面６２は、第１面６１さらに絞り加工することによって形成され、このとき同時に、第１面６１と第２面６２とを繋ぐ第３面が形成される。
【００３８】
第１面６１には予め矩形状の孔があけられており、この孔の一方の長辺を第１面６１に残したまま、他方の長辺を第２面６２の絞り加工と同時に絞り加工することによって、鉛直方向に開いた取付孔６４が形成される。この取付孔６４には、上部取付爪８１１が挿入されるので、便宜上、これを上部取付孔６４１と呼ぶ。上部取付孔６４１は、第１面６１から第３面６３に変化する領域に位置する。
【００３９】
カバー８０の上部取付爪８１１は、鉛直上方に伸びる形状をしている。上部取付爪８１１は、上部取付孔６４１の下方から上方へ進入し、側板６０の第１面６１を外側へ押す。その結果、第１面６１と上部取付爪８１１との間に抗力が生じ、カバー８０の上部が側板６０に固定される。
【００４０】
（中央部取付爪８１２）
図７は、図３のヒートポンプユニットを中央部取付爪の上方のＢ−Ｂ線で切断したときの断面図である。図７において、側板６０中央部は、上部と同様にケーシング５０の内側に向って張り出す第１面６１と第２面６２とを有している。第２面６２は、第１面６１よりも更にケーシング５０の内側に向って張り出している。中央部取付爪８１２は、第１面６１を含む仮想面Ｐ１と、第２面６２を含む仮想面Ｐ２との間に位置する。
【００４１】
図８は、図７のＹ部の拡大図であり、図９は、図７のＥ−Ｅ線で切断したときの断面図である。図８、図９において、第１面６１は、絞り加工することによって形成される。第２面６２は、第１面６１さらに絞り加工することによって形成され、このとき同時に、第１面６１と第２面６２とを繋ぐ第３面が形成される。
【００４２】
第１面６１には予め矩形状の孔があけられており、この孔の一方の長辺を第１面６１に残したまま、他方の長辺を第２面６２の絞り加工と同時に絞り加工することによって、鉛直方向に開いた取付孔６４が形成される。この取付孔６４には、中央部取付爪８１２が挿入されるので、便宜上、これを中央部取付孔６４２と呼ぶ。中央部取付孔６４２は、両側を第３面６３に挟まれている。
【００４３】
カバー８０の中央部取付爪８１２は、鉛直上方に伸びる形状をしている。中央部取付爪８１２は、中央部取付孔６４２の下方から上方へ進入し、側板６０の第１面６１を外側へ押す。その結果、第１面６１と中央部取付爪８１２との間に抗力が生じ、カバー８０の中央部が側板６０に固定される。
【００４４】
（下部取付爪８１３）
図１０は、図３のヒートポンプユニットを下部取付爪の上方のＣ−Ｃ線で切断したときの断面図である。図１０において、側板６０の下部は、上部と同様にケーシング５０の内側に向って張り出す第１面６１と第２面６２とを有している。第２面６２は、第１面６１よりも更にケーシング５０の内側に向って張り出している。
【００４５】
側板６０の下部では、配管継手７０を保持する配管継手取付板７１が第２面６２と対面している。配管継手取付板７１は、ケーシング５０の内側に向って突出する突出部７２を有している。突出部７２は、配管継手取付板７１の外周を曲げ加工することによって形成される。そして、下部取付爪８１３は、第１面６１を含む仮想面Ｐ１と、配管継手取付板７１の突出部７２の先端を含む仮想面Ｐ３との間に位置する。
【００４６】
図１１は、図１０のＦ−Ｆ線で切断したときの断面図である。図１０において、第１面６１は、絞り加工することによって形成される。第２面６２は、第１面６１さらに絞り加工することによって形成され、このとき同時に、第１面６１と第２面６２とを繋ぐ第３面が形成される。
【００４７】
第１面６１には予め矩形状の取付孔６４が形成されている。この取付孔６４には、下部取付爪８１３が挿入されるので、便宜上、これを下部取付孔６４３と呼ぶ。下部取付孔６４３は、第３面６３の近傍に位置する。
【００４８】
カバー８０の下部取付爪８１３は、鉛直上方に伸びる形状をしている。下部取付爪８１３のケーシング５０の内側へ突出する距離は、上部取付爪８１１及び中央部取付爪８１２に比べて大きい。なぜなら、カバー８０の下部は、配管継手７０を覆うように外側に膨らんでおり、カバー８０の上部及び中央部に比べて重く、下部取付爪８１３に作用する荷重は、上部取付爪８１１及び中央部取付爪８１２に比べて大きくなり、下部取付爪８１３の体積を大きくする必要がある。その結果、下部取付爪８１３は、第２面６２を含む仮想面Ｐ２から突出する。しかし、配管継手取付板７１の突出部７２は、下部取付爪８１３よりも更にケーシング５０の内側に向って突出しているので、下部取付爪８１３は、仮想面Ｐ１と、突出部７２の先端を含む仮想面Ｐ３との間に収まる。
【００４９】
下部取付爪８１３は、下部取付孔６４３から進入し、側板６０の第１面６１を外側へ押す。その結果、第１面６１と下部取付爪８１３との間に抗力が生じ、カバー８０の下部が側板６０に保持される。
【００５０】
＜防音材９０＞
図９、図１０で示すように、第２面６２及び配管継手取付板７１に対して防音材９０が密着する。防音材９０は、ケーシング５０内に収納されている圧縮機などの機器に巻きつけられ、組み立て時及び組み立て後は、側板６０の内側は、防音材９０によって外側に押された状態になる。
【００５１】
側板６０の中央部では、第２面６２が最も張り出しており、側板６０の下部では、配管継手取付板７１の突出部７２が最も張り出しているので、第２面６２及び突出部７２は、常に防音材９０と接触し、防音材９０が中央部取付爪８１２及び下部取付爪８１３と接触することを防止する。言い換えると、中央部取付爪８１２及び下部取付爪８１３の損傷の心配をすることなく、防音材９０を側板６０の内側へ押付けることができる。
【００５２】
＜特徴＞
（１）
ヒートポンプユニット２では、ケーシング５０の側板６０が、内側に第１面６１及び第２面６２を有しており、第２面６２は第１面６１よりもケーシング５０の内側に向って張り出している。カバー８０が取付爪８１を介してケーシング５０に取り付けられる。取付爪８１は、第１面６１を含む第１仮想面Ｐ１と第２面６２含む第２仮想面Ｐ２とで挟まれた空間内に収められている。第１面６１と第２面６２とは、第３面６３によって繋がっている。取付爪８１は、第３面６３の近傍に位置しており、つまり、側板６０の厚み方向の強度が強い位置にある。その結果、側板６０の第２面６２が、カバー８０の取付爪８１と内部部品との接触を阻止するので、内部部品との干渉による取付爪の損傷が防止される。また、カバー８０が樹脂製であるので、取付爪８１が弾力性を有し、側板６０に取り付けられるときに損傷することが防止される。
【００５３】
（２）
ヒートポンプユニット２では、ケーシング５０内の部品を覆う防音材９０が、第２面６２に押付けられている。第３面６３が側板６０の厚み方向の変形に対する抗力を高めているので、防音材９０が側板６０に押付けられる状態を許容し、防音材９０と側板６０との密着および防音材９０と内部部品との密着が確保され、防音効果が増す。
【００５４】
（３）
ヒートポンプユニット２では、配管継手取付板７１が突出部７２を有している。カバー８０の取付爪８１が、第１仮想面Ｐ１と突出部７２の先端を含む第３仮想面Ｐ３とで挟まれた空間内に収められている。その結果、ケーシング５０に防音材９０を配置するときに、配管継手取付板７１の突出部７２がカバー８０の取付爪８１と防音材９０との接触を阻止するので、防音材９０との干渉による取付爪８１の損傷が防止される。
【００５５】
＜他の実施形態＞
カバー８０の材料は、燃えやすい材料で構成されてもよい。カバー８０が樹脂製の場合、例えば、易燃性材料である一般ＰＰ（ポリプロピレン）又は耐候性ＰＰ（ポリプロピレン）が選択される。その結果、ヒートポンプユニット２のような冷凍装置の室外ユニットが放火や火災などの被害にあった場合、カバーが焼失してもケーシング内部まで延焼しないので、外部からの火種であることが明確になる。また、カバーを燃えやすい材料にするために、難燃性を上げるための添加剤が不要となるのでコストが低減される。さらに、難燃性を上げる添加剤を使用しないので強度低下が抑えられ、破損等が発生し難くなる。
【産業上の利用可能性】
【００５６】
以上のように、本発明によれば、取付爪に部品が接触して損傷させることが防止されるので、取付孔へ取付爪を引っ掛けて保持させるような取付構造に有用である。
【図面の簡単な説明】
【００５７】
【図１】本発明の一実施形態に係るヒートポンプユニットを使用した給湯機の外観斜視図。
【図２】同ヒートポンプユニットを使用した給湯機の概略構成図。
【図３】同ヒートポンプユニットの正面図。
【図４】図３のヒートポンプユニットを上部取付爪の上方のＡ−Ａ線で切断したときの断面図。
【図５】図４のＸ部の拡大図。
【図６】図５のＤ−Ｄ線で切断したときの断面図。
【図７】図３のヒートポンプユニットを中央取付爪の上方のＢ−Ｂ線で切断したときの断面図。
【図８】図７のＹ部の拡大図。
【図９】図８のＥ−Ｅ線で切断したときの断面図。
【図１０】図３のヒートポンプユニットを下部取付爪の上方のＣ−Ｃ線で切断したときの断面図。
【図１１】図１０のＦ−Ｆ線で切断したときの断面図。
【符号の説明】
【００５８】
２  ヒートポンプユニット
５０  ケーシング
６０  側板
６１  第１面
６２  第２面
６３  第３面
６４  取付孔
７０  配管継手
７１  配管継手取付板
７２  突出部
８０  カバー
８１  爪
６４１  上部取付孔
６４２  中央部取付孔
６４３  下部取付孔
８１１  上部取付爪
８１２  中央部取付爪
８１３  下部取付爪
【図１】
0004379540.tif 000002
【図２】
0004379540.tif 000003
【図３】
0004379540.tif 000004
【図４】
0004379540.tif 000005
【図５】
0004379540.tif 000006
【図６】
0004379540.tif 000007
【図７】
0004379540.tif 000008
【図８】
0004379540.tif 000009
【図９】
0004379540.tif 000010
【図１０】
0004379540.tif 000011
【図１１】
0004379540.tif 000012